(57)【特許請求の範囲】
【請求項１】
基端開口部と先端開口部とを有する管本体部の長さ方向に沿わせて配置させた少なくとも一本以上のスリットを備えてなる音響管と、該音響管の前記基端開口部内に前方音響端子側から送り込まれて収容されるマイクロホンユニットとを少なくとも備え、前記先端開口部側は前端音響抵抗材で遮蔽され、前記スリット上には音響抵抗シートを各別に覆設するとともに、前記前端音響抵抗材と前記マイクロホンユニットとの間に確保される空気路は、少なくとも１以上の中間音響抵抗材により遮断されてなるラインマイクロホンにおいて、
前記スリットは、その長さ方向を分断させた複数の短寸スリット部で形成され、
前記中間音響抵抗材は、前記短寸スリット部相互間に位置するよう配設したことを特徴とするラインマイクロホン。
【請求項２】
前記短寸スリット部は、それぞれが相互に同長である請求項１に記載のラインマイクロホン。
【請求項３】
前記マイクロホンユニットの前記前方音響端子の前端面は、基端音響抵抗材で遮蔽された請求項１または２に記載のラインマイクロホン。
【請求項４】
前記マイクロホンユニットの外径は、前記管本体部の内径と略同径に形成された請求項１ないし３のいずれかに記載のラインマイクロホン。
【発明の詳細な説明】
【技術分野】
【０００１】
本発明は、低周波数域で良好な指向特性を得るために比較的長い音響管で形成しても、風雑音を低減できるようにしたラインマイクロホンに関する技術である。
【背景技術】
【０００２】
狭指向性マイクロホンのうち、音響管を接続して形成したものをラインマイクロホンと称している。図４は、従来からあるラインマイクロホンの一例について、その断面構造を示す説明図である（特許文献１）。
【特許文献１】特開平１１−３３１９７８公報
【０００３】
図４によれば、ラインマイクロホン１は、基端開口部２ｃと先端開口部２ｄとを有する管本体部２ａの長さ方向に沿わせて音響抵抗孔として機能する一対のスリット２ｂ，２ｂを対向配置させてなる音響管２と、前方音響端子３ａと後方音響端子３ｂとを有する単一指向性のマイクロホンユニット３とを少なくとも備えて形成されている。  
【０００４】
このうち、音響管２は、例えば、アルミニウムのような金属材により円筒状に形成され、管本体部２ａの基端開口部２ｃの側には、スリットの２ｂとは別に、後方音響端子３ｂに対する音波導入孔２ｅを有している。
【０００５】
この場合、スリット２ｂと音波導入孔２ｅとは、管本体部２ａに沿わせた同一直線上に乗るように設けられるとともに、周方向に１８０°離れた位置にも、同様に同一直線上に乗るように設けられており、スリット２ｂと音波導入孔２ｅとは、それぞれが対向する位置関係のもとで対となって形成されている。この場合、スリット２ｂは、フェルトやナイロンメッシュ等の不織布で形成された図示しない音響抵抗シートで覆われており、また、音波導入開口部２ｅも図示しない適宜の音響抵抗材で覆われている。
【０００６】
このように構成されるラインマイクロホン１においては、音源からの音波は、スリット２ｂと先端開口部２ｄとから音響管２内に入射するが、対向配置された各スリット２ｂから入射した音波は、干渉によって弱められるのに反し、先端開口部２ｄから入射した音波は、減衰することなくマイクロホンユニット３の振動板に達し、狭指向性が確保されることになる。
【０００７】
また、このラインマイクロホン１は、指向性は周波数依存性を示し、低周波数域での良好な狭指向性を得るためには、長い音響管２で形成される必要がある。
【発明の開示】
【発明が解決しようとする課題】
【０００８】
ところで、上記のようなラインマイクロホン１で低周波数域を収音する場合、音響管２は、その先端が前方音響端子の役割を果たすことから、該前方音響端子と後方音響端子３ｂとの距離が大きくなり、振動板の前後で、大きな圧力差を生じ、風雑音が発生するという問題がある。従って、低周波数域の良好な指向特性を確保しようとして、音響管２を長くすればするほど、圧力差もその分大きくなり、風雑音も大きくなってしまう不都合があった。
【０００９】
そこで、ラインマイクロホン１は、図４に示すように、風雑音を低減させるために、音響管２の内周面とマイクロホンユニット３の外周面との間に所定の隙間Ｇを備えさせていた。つまり、風雑音は、前方音響端子３ａと後方音響端子３ｂとを、空気漏洩通路となる隙間Ｇを介して音響的に接続し、振動板の前後に生成される圧力差を緩和することで、軽減されていた。
【００１０】
しかし、図５に示すように比較的長寸の音響管２が用いられるラインマイクロホン１の場合には、それ自体の大型化を避けるため、内径の比較的小さな音響管２で形成される結果、図４に示されているような隙間Ｇを確保できるような外径の小さなマイクロホンユニット３を組み込むことができない。
【００１１】
その理由は、マイクロホンユニット３を小型化すればするほど、感度や指向特性などの性能が劣化してしまうことにある。そのため、比較的長寸の音響管２を用いたラインマイクロホン１は、従来サイズのマイクロホンユニット３を組み込んだ際に、図４に示したような隙間Ｇを確保する余地がないことから風雑音を他の手段で低減する必要がある。このため、従来のラインマイクロホン１においては、音響管２の先端開口部２ｄ内に例えば、綿やスポンジなどの前端音響抵抗材Ｒを配置して遮蔽することで、風雑音を低減するようにしていた。
【００１２】
すなわち、図５に示すラインマイクロホン１においては、先端開口部２ｄ付近から音響管２の内側に侵入する空気圧力を、前端音響抵抗材Ｒを介することで弱めることができ、その結果、振動板の前後に生成されやすい圧力差を緩和することで風雑音が低減されるという効果を得ていた。
【００１３】
しかしながら、前端音響抵抗材Ｒで風雑音の低減効果を得る図５に示すラインマイクロホン１においては、低周波数域の指向特性を良くしようとして、音響管２を長くすればするほど、風雑音の低減効果は薄れてしまうという不具合があった。
【００１４】
本発明は、従来技術の上記課題に鑑み、低周波数域での良好な指向特性を得るために音響管の長さが比較的長くても風雑音を効果的に低減することができるラインマイクロホンを提供することに目的がある。
【課題を解決するための手段】
【００１５】
本発明は、上記目的を達成すべくなされたもので、基端開口部と先端開口部とを有する管本体部の長さ方向に沿わせて配置させた少なくとも一本以上のスリットを備えてなる音響管と、該音響管の前記基端開口部内に前方音響端子側から送り込まれて収容されるマイクロホンユニットとを少なくとも備え、前記先端開口部側は前端音響抵抗材で遮蔽され、前記スリット上には音響抵抗シートを各別に覆設するとともに、前記前端音響抵抗材と前記マイクロホンユニットとの間に確保される空気路は、少なくとも１以上の中間音響抵抗材により遮断されてなるラインマイクロホンにおいて、前記スリットは、その長さ方向を分断させた複数の短寸スリット部で形成され、前記中間音響抵抗材は、前記短寸スリット部相互間に位置するよう配設したことを最も主要な特徴としている。
【００１６】
この場合、前記短寸スリット部は、それぞれが相互に同長であることが好ましく、さらには、前記マイクロホンユニットの前記前方音響端子の前端面は、基端音響抵抗材で遮蔽されるのが望ましい。また、前記マイクロホンユニットの外径は、前記管本体部の内径と略同径に形成するのが望ましい。
【発明の効果】
【００１７】
本発明によれば、ラインマイクロホンは、前端音響抵抗材とマイクロホンユニットとの間に確保される空気路を遮断する少なくとも１以上の中間音響抵抗材を、音響管内に配設したので、音響管の先端から侵入する空気圧力は、少なくともそれら中間音響抵抗材を介して段階的に低減されることになる。従って、ラインマイクロホンは、マイクロホンユニットの振動板の前後に生成される圧力差を低く抑えることができ、これにより風雑音を効果的に低減することができることになる。
【発明を実施するための最良の形態】
【００１８】
図１は、本発明の一例について、その断面構造を示す説明図であり、ラインマイクロホン１１は、基端開口部２２と先端開口部２３とを有する管本体部２１ａの長さ方向に沿わせて対向配置させた音響抵抗孔として機能する一対のスリット２４，２４を備えてなる音響管２１と、該音響管２１の基端開口部２２内に前方音響端子３１ａ側から送り込まれて収容されるマイクロホンユニット３１とを少なくとも備えて形成されている。
【００１９】
この場合、マイクロホンユニット３１は、その外径が音響管２１の管本体部２１ａの内径と略同径となって形成されており、これにより音響管２１との間に隙間を生じさせることなく密に収容させることができるようになっている。
【００２０】
また、音響管２１は、アルミニウムのような金属材で形成され、低周波数域の指向性を確保するために、比較的長寸に形成されている。また、先端開口部２３の側を遮蔽する前端音響抵抗材Ｒ１とマイクロホンユニット３１との間に確保される空気路２６は、図示例の場合、２つの中間音響抵抗材Ｒ２に遮断されることで３つの空気室２７に分断されており、さらにまた、マイクロホンユニット３１の前方音響端子２１ａの前端面側は、これに密接する基端音響抵抗材Ｒ３により遮蔽されている。
【００２１】
この場合、前端音響抵抗材Ｒ１、中間音響抵抗材Ｒ２および基端音響抵抗材Ｒ３のそれぞれは、いずれもスポンジ（例えば、ブリジストン社製ＨＲ５０）により形成されたものを好適に用いることができ、その弾性復元力により管本体部２１ａの内周面に密接させることで、音響管２１側に固定配置することができるようになっている。
【００２２】
一方、管本体部２１ａに設けたスリット２４のそれぞれは、フェルトやナイロンメッシュのような不織布で形成された音響抵抗シートＲ４が各別に覆設されており、図示例の場合、各スリット２４は、相互に同長となって分断されている非連続な３つの短寸スリット部２４ａにより構成されている。また、音響管２１の基端開口部２２の側には、マイクロホンユニット３１の後方音響端子３１ｂに対する一対の音波導入孔２５，２５が、各スリット２４と管本体部２１ａに沿わせて同一直線上に乗るように設けられている。
【００２３】
この場合、各中間音響抵抗材Ｒ２は、短寸スリット部２４ａ，２４ａ相互間に位置する部位に位置合わせして配設されており、これにより空気路２６が遮断されている。その際における中間音響抵抗材Ｒ２の数は、図示例のような２つに限らず、各スリット２４を構成している短寸スリット部２４ａの数に応じて、つまり、該短寸スリット部２４ａの数から１を引いた数が配設される。すなわち、各スリット２４が２つの短寸スリット部２４ａで構成されている場合には、１つの中間音響抵抗材Ｒ２が配設される。図示例の場合、各スリット２４は、それぞれが３つの短寸スリット部２４ａで構成されているので、２つの中間音響抵抗材Ｒ２が配設されることになる。
【００２４】
また、各中間音響抵抗材Ｒ２は、その音響管２１の長さ方向での厚さが相互に等しいものが用いられているほか、各スリット２４は、３つないしそれ以上の数の相互に同長の短寸スリット部２４ａにより構成され、これら各短寸スリット部２４ａ相互の離間距離が等間隔となって配設されている。
【００２５】
この場合、中間音響抵抗材Ｒ２により空気路２６が遮断されることで確保される各空気室２７は、前端音響抵抗材Ｒ１と基端音響抵抗材Ｒ３の厚さを調整することで、相互に等しい容積、つまり相互に等しい音響容量を付与することができるようになっている。
【００２６】
次に、図１を参酌して本発明の作用効果を説明すれば、ラインマイクロホン１１は、音響管２１の内周面との間に隙間を生じさせることなくマイクロホンユニット３１を音響管２１内に収容して形成されているので、マイクロホンユニット３１と管本体部２１ａとの間に形成される隙間を介して風雑音を低減する手法をとることはできない。このため、ラインマイクロホン１１においては、音響管１２の先端開口部２３から侵入する空気圧力を、前端音響抵抗材Ｒ１→複数の中間音響抵抗材Ｒ２→基端音響抵抗材Ｒ３を通過させることで減圧し、風雑音を低減させることができるようになっている。
【００２７】
すなわち、各空気室２７の音響容量が等しいことから、前端音響抵抗材Ｒ１を介して音響管２１内に侵入した空気圧力は、各中間音響抵抗材Ｒ２を通過する毎に同じ割合で低減されることになり、最終的に基端音響抵抗材Ｒ３を通過することで大きく低減される。そのため、前方音響端子１３ａと後方音響端子１３ｂとの間に生じる圧力差は、大幅に緩和されることになり、従って、風雑音もそれだけ大きく低減されることになる。
【００２８】
図２は、ラインマイクロホンについての指向特性グラフであり、このうち（ａ）は図５に示した従来例を、（ｂ）は図１に示す本発明の一例をそれぞれ示している。同図によれば、図１に示すラインマイクロホン１１は、前方である０°方向（図の太実線）の指向特性が１０ｋＨｚ以上の高周波数域でやや下がるものの、全般的にほとんど違わない指向特性でありながら、２００Ｈｚ付近よりも低周波数域が平坦化しており、低周波数域の周波数特性が改善されていることが判明する。
【００２９】
また、図３は、ラインマイクロホンの風雑音特性グラフであり、このうち（ａ）は図５に示した従来例を、（ｂ）は図１に示す本発明の一例をそれぞれ示している。同図によれば、図１に示すラインマイクロホン１１は、２０〜５０Ｈｚの周波数域での利得が従来のものより１０ｄＢ程度小さく測定され、風雑音は１／１０に低減されていることが判明する。
【００３０】
このように、ラインマイクロホン１１は、音響管１２の先端開口部２３の側から侵入する空気圧力を、複数の音響抵抗材（Ｒ１，Ｒ２，Ｒ３）を通過させることで、段階的に低下させることができる。このことは、前方音響端子１３ａの前側に複数層のウィンドスクリーンを設けたことと同じ効果を得ることができることを意味している。
【００３１】
さらに、各空気室２７は、相互に等しい音響容量を付与して形成されることになり、中間音響抵抗材Ｒ２を介して生成される空気圧力の低減率を等しいものとすることができる。従って、中間音響抵抗材Ｒ２については、好適な設置数の設計も容易に行うことができるほか、管本体部２１ａに形成する短寸スリット部２４ａの仕様も、設計に従って予め定めておくことができることになる。
【００３２】
このため、本発明によれば、音響管を低周波数域で良好な指向特性を得るために長く形成しても、風雑音を軽減することのできるラインマイクロホンを提供することができることになる。  
【００３３】
以上は、本発明を図示例に基づき説明したものであり、その具体的な構成はこれに限定されるものではない。例えば、中間音響抵抗材Ｒ２は、必ずしも、管本体部２１ｂに形成した短寸スリット部２４ａ相互間の部位に対応させて配設する必要はなく、要は、前端音響抵抗材Ｒ１とマイクロホンユニット３１との間の空気路２６を遮断する１以上の中間音響抵抗材Ｒ２のそれぞれが、音響管２１の先端開口部２３の側から侵入する空気圧力を段階的に低下させてマイクロホンユニット３１の前方音響端子３１ａへと到達させることができればよい。したがって、前端音響抵抗材Ｒ１と中間音響抵抗材Ｒ２とで、空気圧力を所望の値にまで低下させることができる場合には、基端音響抵抗材Ｒ３を用いないこともできる。
【００３４】
また、スリット２４は、図示例に従い１対となって設けられた例について説明したが、所望により管本体部２１ａの長さ方向に沿わせて１本以上設けておくものであればよい。その場合、スリット２４は、それぞれが同数の短寸スリット２４ａにより構成されることになる。また、スリット２４の役割は、対向方向から空気圧力を導入して相互に干渉させることで相殺することにあるので、対向する位置関係にある一対のスリット２４，２４を設けておくのが望ましいが、必要により１本であっても、３本以上であってもよい。
【図面の簡単な説明】
【００３５】
【図１】本発明のラインマイクロホンの一例についての断面構造を示す説明図。
【図２】ラインマイクロホンの指向特性グラフで、（ａ）は従来のものを、（ｂ）は本発明の一例を用いたものをそれぞれ示す。
【図３】ラインマイクロホンの風雑音特性グラフで、（ａ）は従来のものを、（ｂ）は本発明の一例を用いたものをそれぞれ示す。
【図４】従来からあるラインマイクロホンの一例についての断面構造を示す説明図。
【図５】従来からあるラインマイクロホンの他例についての断面構造を示す説明図。
【符号の説明】
【００３６】
１１  ラインマイクロホン
２１  音響管
２１ａ  管本体部
２２  基端開口部
２３  先端開口部
２４  スリット
２４ａ  短寸スリット部
２５  音波導入孔
２６  空気路
２７  空気室
３１  マイクロホンユニット
３１ａ  前方音響端子
３１ｂ  後方音響端子
Ｒ１  前端音響抵抗材
Ｒ２  中間音響抵抗材
Ｒ３  基端音響抵抗材
Ｒ４  音響抵抗シート
【図１】
0004698380.tif 000002
【図２】
0004698380.tif 000003
【図３】
0004698380.tif 000004
【図４】
0004698380.tif 000005
【図５】
0004698380.tif 000006